(57)【特許請求の範囲】
【請求項１】
頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結部を介して連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記スカート部
のヒンジ連結部とは反対側の部分には開封用鍔が設けられており、前記キャップ本体の頂板部上面には、上蓋を閉じたときに上蓋のスカート部内面部分と係合し
得る周状突起を有しており、且つ該キャップ本体の筒状側壁の外面には、閉じられた上蓋の開封用鍔の先端外周部分を覆う帯状カバーが破断可能な弱化線乃至スコアを介して連結されているヒンジキャップにおいて、
前記開封用鍔の下面は、頂板部の上面よりも下方に位置しており、上蓋が閉じられた状態において、開封用鍔の該下面は、前記帯状カバーとは非接触の状態に保持されており、
前記帯状カバーの内面には、閉じられた上蓋の開封用鍔の外周縁部の上面と係合する係止突起と、閉じられた上蓋の開封用鍔の下面とは接触しないように前記帯状カバーの下部から軸方向上方へかつ前記筒状側壁側に延びている変形防止用リブが設けられており、
前記上蓋のスカート部内面の前記開封用鍔が形成されている側において該開封用鍔の周囲を含む周方向領域は、該上蓋が閉じられた状態において、前記キャップ本体の周状突起と非係合となっていることを特徴とするヒンジキャップ。
【請求項２】
前記上蓋を閉じたときに、前記開封用鍔の内面と前記キャップ本体の筒状側壁の外面とが係合する係合機構が設けられている請求項１に記載のヒンジキャップ。
【発明の詳細な説明】
【技術分野】
【０００１】
本発明は、上蓋にタンパーエビデント性（ＴＥ性）を持たせたヒンジキャップに関する。
【背景技術】
【０００２】
容器口部に装着されるキャップ本体に上蓋がヒンジ連結されたヒンジキャップは、例えば各種調味料が充填された容器のキャップとして、種々の用途に使用されている。また、各種容器のキャップには、一般に、いたずら防止や容器内容物の品質保証などのために、開封履歴機能、即ち、ＴＥ性が要求される。一般のユーザーにとって、キャップが開封されていないという事実を認識できれば、容器内に異物を混入するなどのいたずらによる被害を回避することができるばかりか、容器内容物に関して、一定の品質が保証されるからである。
【０００３】
特許文献１には、上記のようなヒンジキャップについて、上蓋にＴＥ性を持たせたものが提案されている。
この特許文献１のヒンジキャップは、キャップ本体の筒状側壁の外面の上端部分に帯片を設け、且つ上蓋のスカート部下端に設けられている開封用鍔の下面に突片を設け、上蓋を閉じたときに開封用鍔の下面の突片が帯片と筒状側壁外面との間の空間に嵌め込まれて固定されるというものである。即ち、上蓋を開封するためには、帯片を破壊しなければならず、帯片の破壊によって上蓋の開封を認識できるようになっている。
【０００４】
しかしながら、上記特許文献１のヒンジキャップでは、上蓋の開封用鍔が外部に露出しているため、この開封用鍔を指で引っ掛けて上方に引っ張り上げると、該鍔の下面の突片が帯片と筒状側壁外面との間の空間からすっぽ抜けてしまうことがある。このような突片のすっぽ抜けを生じた場合には、再び上蓋を閉じて突片を帯片と筒状側壁外面との間の空間に嵌め込んでしまうと、キャップの外観からは上蓋が一旦開封された事実を認識することが困難となってしまう。
【０００５】
また、特許文献２にもＴＥ性が高められたヒンジキャップが提案されている。このヒンジキャップでは、上蓋が閉じられた状態において、開封用鍔の外周面を覆うような帯状カバー部材を設けたものであり、この帯状カバー部材は、破断可能な弱化線乃至スコアを介してキャップ本体の筒状側壁外面に連結されている。即ち、帯状カバー部材をキャップ本体の筒状側壁外面から引き剥がさない限り、閉じられた上蓋を開封することができず、開封用鍔の外周面が帯状部材によって覆われているため、この鍔を指等で引っ張り上げることができず、特許文献１のヒンジキャップに比して、ＴＥ性が高められている。
【０００６】
しかしながら、特許文献２のヒンジキャップにおいても、そのＴＥ性は未だ満足し得るものではない。即ち、特許文献２のヒンジキャップでは、帯状カバー部材を下側から押し上げると、閉じられた上蓋の開封用鍔が押し上げられてしまい、該帯状カバー部材から開封用鍔が飛び出してしまうことがあり、帯状カバー部材を引き剥がすことなく、上蓋を開封できてしまうことがあった。また、帯状カバー部材を正面から内側且つ上方に押し付けると、上蓋のスカート部下端部分が変形してしまい、この変形によっても、帯状カバー部材を引き剥がすことなく、上蓋を開封できてしまうことがあった。
【０００７】
そこで本願出願人は、特許文献３により、ＴＥ性をさらに向上したヒンジキャップを提案した。このヒンジキャップは、特許文献２と同様、上蓋が閉じられた状態において、開封用鍔の外周面を覆うような帯状カバー部材を設けたものであるが、上蓋の開封用鍔の下面が帯状カバーとは非接触となっているため、帯状カバーを押し上げたとしても、開封用鍔が押し上げられず、この開封用鍔の帯状カバーからの飛び出しが有効に防止されている。また、開封用鍔の下面は、キャップ本体の頂板部の上面よりも下方に位置しているため、帯状カバーを正面から内側且つ上方に押し付けた場合、開封用鍔の内面が、筒状側壁外面に接触し、上蓋のスカート部下端部分の変形が有効に抑制され、このような変形による開封用鍔の帯状カバーからの飛び出しも有効に防止されているというものである。
【０００８】
しかしながら、特許文献３のヒンジキャップにおいても、未だ改善の余地がある。即ち、開封用鍔の下面は、キャップ本体の頂板部の上面よりも下方に位置していることは、帯状カバーを正面から内側に押し付けたときのスカート部の変形による開封用鍔の帯状カバーからの飛び出しを防止するという点で効果的であるが、反面、帯状カバーを切り離した後、開封用鍔を押し上げての上蓋の開封が困難となってしまうという新たな問題が発生してしまったのである。
即ち、閉じられた上蓋は、そのスカート部内面がキャップ本体頂板部の周状突起と係合しており、これにより、上蓋の閉栓状態がしっかりと保持され、上蓋の偶発的な開栓が防止される構造となっている。このような構造において、開封用鍔の下面をキャップ本体の頂板部の上面よりも下方に位置せしめると、開封用鍔の下面と、上蓋のスカート部内面とキャップ本体頂板部の周状突起との係合部分との垂直方向の位置の差が大きくなってしまい、この係合を解除するためには必要以上に大きな力で開封用鍔を押し上げなければならなくなり、この結果、特に、老人や子供などでは、上蓋の開封が困難となってしまったのである。
【先行技術文献】
【特許文献】
【０００９】
【特許文献１】実公平２−２１４０６号公報
【特許文献２】特開２００４−１７５４３６号公報
【特許文献３】特開２００５−２１２８１３号公報
【発明の概要】
【発明が解決しようとする課題】
【００１０】
従って、本発明の目的は、優れたタンパーエビデント性と同時に、上蓋の開封性にも優れたヒンジキャップを提供することにある。
【課題を解決するための手段】
【００１１】
本発明によれば、頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結部を介して連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記スカート部
のヒンジ連結部とは反対側の部分には開封用鍔が設けられており、前記キャップ本体の頂板部上面には、上蓋を閉じたときに上蓋のスカート部内面部分と係合し
得る周状突起を有しており、且つ該キャップ本体の筒状側壁の外面には、閉じられた上蓋の開封用鍔の先端外周部分を覆う帯状カバーが破断可能な弱化線乃至スコアを介して連結されているヒンジキャップにおいて、
前記開封用鍔の下面は、頂板部の上面よりも下方に位置しており、上蓋が閉じられた状態において、開封用鍔の該下面は、前記帯状カバーとは非接触の状態に保持されており、
前記帯状カバーの内面には、閉じられた上蓋の開封用鍔の外周縁部の上面と係合する係止突起と、閉じられた上蓋の開封用鍔の下面とは接触しないように前記帯状カバーの下部から軸方向上方へかつ前記筒状側壁側に延びている変形防止用リブが設けられており、
前記上蓋のスカート部内面の前記開封用鍔が形成されている側において該開封用鍔の周囲を含む周方向領域は、該上蓋が閉じられた状態において、前記キャップ本体の周状突起と非係合となっていることを特徴とするヒンジキャップが提供される。
【００１２】
本発明のヒンジキャップにおいては、
（１）前記上蓋を閉じたときに、前記開封用鍔の内面と前記キャップ本体の筒状側壁の外面とが係合する係合機構が設けられていること、
が好ましい。
【発明の効果】
【００１３】
本発明のヒンジキャップにおいては、上蓋の開封用鍔の下面が、頂板部の上面（即ち、筒状側壁の上端面に相当）よりも下方に位置しており、また、上蓋が閉じられた状態において、開封用鍔の該下面は、前記帯状カバーとは非接触の状態に保持されている。このため、例えば特許文献３のヒンジキャップと同様、帯状カバーを正面から内側且つ上方に押し付けたとしても、開封用鍔の内面が筒状側壁外面に接触するため、上蓋のスカート部下端部分の変形が有効に抑制され、このような変形による開封用鍔の帯状カバーからの飛び出しが有効に防止され、さらに、帯状カバーを押し上げたとしても、開封用鍔が押し上げられず、この開封用鍔の帯状カバーからの飛び出しも有効に防止されている。
従って、本発明のヒンジキャップは、帯状カバーを切り離さない限り、上蓋を開封することができず、従って、従来公知のキャップと同様、優れたＴＥ性を有している。
【００１４】
また、本発明のヒンジキャップでは、上蓋のスカート部内面の前記開封用鍔が形成されている周方向領域（以下、開封開始領域と呼ぶことがある）は、該上蓋が閉じられた状態において、前記キャップ本体の周状突起と非係合となっている。このため、開封用鍔が形成されている部分では、上蓋のスカート部内面とキャップ本体との係合力が部分的に弱められており、この結果、開封用鍔を押し上げての上蓋の開封を容易に行うことができる。即ち、開封用鍔の下面を頂板部の上面よりも下方に位置せしめたことによる上蓋の開封性の低下が有効に回避されている。
【００１５】
ところで、上記のように、開封開始領域において、上蓋のスカート部内面とキャップ本体の周状突起とを非係合とすると、ＴＥ性が低下してしまうおそれがある。例えば、帯状カバーの下方部分を外面側から内方且つ上方に押し付けた場合、上蓋のスカート部とキャップ本体との係合力が開封開始領域で弱められているため、帯状カバーの変形によって開封用鍔が持ち上げられてしまい、開封用鍔が帯状カバーからすっぽ抜けてしまうことがあるためである。しかるに、本発明では、帯状カバーの内面には、閉じられた上蓋における開封用鍔の外周縁部の上面と係合する係止突起と共に、閉じられた上蓋の開封用鍔の下面とは接触しないように軸方向に延びている変形防止用リブが設けられている。この結果、帯状カバーの下方部分を外面側から押圧したとしても、その変形が極力抑制され、且つ帯状カバーの下方部の変形による開封用鍔の上昇も有効に抑制され、その結果として、開封用鍔の帯状カバーからのすっぽ抜けも有効に防止されている。
このように、本発明では、開封開始領域において、上蓋のスカート部内面とキャップ本体の周状突起とを非係合としたときのＴＥ性の低下が有効に回避され、優れたＴＥ性は損なわれていない。
【００１６】
また、本発明においては、前記上蓋を閉じたときに、前記開封用鍔の内面と前記キャップ本体の筒状側壁の外面とが係合する係合機構が設けられていることが好適であり、これにより、開封開始領域において、上蓋のスカート部内面とキャップ本体の周状突起とを非係合としたときのＴＥ性の低下が一層確実に防止され、優れたＴＥ性を確実に維持することができると共に帯状カバーを取り除いた後に、開封用鍔に手を掛けて上方に持ち上げると係合機構の係合は、開封用鍔のすぐ内側であるため、容易に係合を解除することができ、開封を容易に行うことができる。
【図面の簡単な説明】
【００１７】
【図１】本発明のヒンジキャップの上蓋を閉じた状態での側面断面図。
【図２】図１のキャップにおける上蓋を開栓した状態での側面断面図。
【図３】図２のキャップにおける上面図。
【図４】図２のキャップにおける下面図。
【図５】図１のキャップの側面図。
【図６】図１のキャップの正面図。
【図７】図１のキャップから帯状カバーを切り離した状態での正面図。
【発明を実施するための形態】
【００１８】
図１乃至図６を参照して、本発明のヒンジキャップは、キャップ本体１と上蓋３とから成り、キャップ本体１は、大まかに言って、頂板部５と、頂板部５の周縁部から垂下している筒状側壁７とから構成されている。
【００１９】
頂板部５の下面側には、筒状側壁７とは間隔を置いて下方に延びているインナーリング９が形成されている。また、筒状側壁７の内面の下方部分には、係合用突起８が設けられている。即ち、このインナーリング９と筒状側壁７との間の空間に容器口部が嵌め込まれ、且つ係合用突起８が容器口部の外面に係合することにより、キャップ本体１は、容器口部に装着され且つがっちりと固定される。
【００２０】
また、頂板部５の中央部分は、若干凹んだ凹部となっており、その周縁部には、注出用開口を形成するための無端状スコア１０が形成されており、頂板部５の上面側には、スコア破断用のプルリング１１が支柱１３を介して設けられている。即ち、このプルリング１１を引っ張ることにより、スコア１０が破断し、内容物を注ぎ出すための開口が頂板部５に形成されるようになっている。
【００２１】
さらに、頂板部５の上面側には、スコア１０を取り囲むようにして、注出液案内用の筒状突起１５が形成されており、注出用開口を介して注ぎ出された内容液は、この筒状突起１５によって案内される。この筒状突起１５の上端は、ラッパ状に広がって液切れ性の向上が図られ、また、液の排出をスムーズに行い得るようになっており、また、図１から理解されるように、後述するヒンジ連結部２５側において、筒状突起１５の背が低く形成され、上蓋３を閉じるときに上蓋３の旋回を妨害しないように構成されている。また、筒状突起１５の外側には、上蓋３を保持するための周状突起１７が形成されている。
【００２２】
また、キャップ本体１の筒状側壁７の一部は、図１乃至図３に示されているよに、上端から下方に延びている弧状スリット２０により、内側側壁７ａと外側側壁７ｂとに分断されており、内側側壁７ａと外側側壁７ｂとが下端で連なった二重壁構造が形成されている。このような二重壁構造は、容器内容液注出後のキャップ本体１を容器口部から容易に取り外せるように形成されているものである。
【００２３】
上蓋３は、キャップ本体１の筒状側壁７（特にスリット２０によって形成されている外側壁７ｂ）の上端部分にヒンジ連結部２５を介して連結されている。このヒンジ連結部２５は、図３及び図４から理解されるように、中央の幅広のバンド２５ａと、その両側の小幅のバンド２５ｂ、２５ｂから形成されている。
【００２４】
さらに、上記ヒンジ連結部２５の近傍には、外側壁７ｂに、その上端から下端乃至その近傍まで延びている軸方向スコア２７ａ，２７ａが形成され（図３、図４参照）、内側壁７ａには、軸方向スコア２７ａ，２７ａに対応するように、下端から上方に延びている内側スコア２７ｂ，２７ｂ（図４参照）が形成されている。即ち、上蓋３を開栓した状態で下方に引き降ろすことにより、上記スコア２７ａ，２７ａが引き裂かれ、外側壁７ｂが破断し、次に上方に引き上げることにより、内側スコア２７ｂ，２７ｂが破断するため、キャップ本体１を、格別の工具を用いることなく、容器口部から取り外すことが可能となる。
【００２５】
上蓋３は、天板部３１と、天板部３１の周縁から延びているスカート部３３とから形成されている。
【００２６】
天板部３１の内面には、シール用の周状突起３５が形成されている。即ち、上蓋３を旋回して閉じたとき、シール用の周状突起３５が注出液案内用の筒状突起１５の内面に密着し、この密着により、スコア１０を破断しての注出用開口形成後のシール性が確保される。
【００２７】
また、上蓋３のスカート部３３の内面下方部分には、凹部３７（図２参照）が形成されており、前述した周状突起１７の上端の突部１７ａ（図２参照）が、この凹部３７と係合することにより、閉じられた上蓋３が安定に保持されるようになっている。
尚、一部の周方向領域では、スカート部３３の内面に、この凹部３７は形成されておらず、この点については、後述する。
【００２８】
さらに、上蓋３のスカート部３３の外面には、前述したヒンジ連結部２５とは反対側部分に、開封用鍔４０が設けられている。この開封用鍔４０の下面４０ａには、滑り止め用の偏平状突部４１が形成されている。この開封用鍔４０を指で引っ掛けて上蓋３を上方に持ち上げることにより、周状突起１７と凹部３７との係合が解除され、上蓋３の開封が行われるようになっている。
尚、開封用鍔４０の上面の中央部分からスカート部３３の外面にかけて厚肉のリブ４３が形成されているが、かかるリブ４３は、開封用鍔４０の補強のために形成されているものである。
【００２９】
また、キャップ本体１の筒状側壁７の外面には、上蓋３を閉じたときに上記の開封用鍔４０が位置する部分に、滑らかな凹面４５が形成されており、開封用鍔４０の指での引っ掛けを容易に行うことができるようになっているとともに、この凹面４５を取り囲むようにして帯状カバー５０が、弱化線乃至スコア５１を介して筒状側壁７の外面に接続されている。
【００３０】
上記の帯状カバー５０は、図１及び図２から明らかなように、その上方部分の内面に係止突起５３が設けられており、この係止突起５３が、閉じられた上蓋３の開封用鍔４０の先端外周縁部の上面と係合するようになっている。即ち、閉じられた上蓋３の開封用鍔４０は、その下面４０ａ（偏平状突部４１）が帯状カバー５０によって完全に外部と遮断されており、且つその先端外周縁部は帯状カバー５０の内面に設けられている係止突起５３により覆われ、係合しているため、この帯状カバー５０を、上記弱化線乃至スコア５１を破断して筒状側壁７から引き剥がした後でなければ、上蓋３の開封を行うことができないようになっており、このような帯状カバー５０によって、上蓋３にタンパーエビデント性（ＴＥ性）が付与された構造となっている。
【００３１】
尚、帯状カバー５０の上端には、図６に示されているように突片５５が設けられており、この突片５５を指で摘んで引き降ろすことにより、弱化線乃至スコア５１の破断を容易に行い、帯状カバー５０の引き剥がしが容易に行われる。
【００３２】
帯状カバー５０の引き剥がしにより、図７に示されているように、開封用鍔４０が開放されて外部に露出し、従って、この開封用鍔４０を利用しての上蓋３の開封を行うことが可能となる。
【００３３】
上述したヒンジキャップにおいては、優れたＴＥ性を確保するために、開封用鍔４０が上蓋３のスカート部３３から下方に垂下した垂下片に設けられているため、開封用鍔４０の下面４０ａが頂板部５の上面（筒状側壁７の上端に相当）よりも下方に位置し、且つ上蓋３が閉じられた状態において、開封用用鍔４０の下面４０ａ（偏平状突部４１）が、帯状カバー５０とは非接触の状態に保持されている（図１参照）。即ち、開封用用鍔４０の下面４０ａが、帯状カバー５０とは非接触の状態に保持されているため、帯状カバー５０を下側から押し上げても、開封用鍔４０は押し上げられず、このような押し上げによって開封用鍔４０が帯状カバー５０から飛び出すという不都合を防止できる。また、開封用鍔４０の下面４０ａは、頂板部５の上面よりも下方に位置しているため、帯状カバー５０を正面から内側且つ上方に押し付けた場合、開封用鍔４０の内面が、筒状側壁７の外面に直ちに接触するため、上蓋３のスカート部３３の内面下方部分に形成された凹部３７と周状突起１７の上端の突部１７ａとの係合が外れることがない。また、上蓋３のスカート部３３の下端部分の変形が有効に抑制され、このような変形による開封用鍔４０の帯状カバー５０からの飛び出しも有効に防止することができる。
【００３４】
本発明のヒンジキャップは、上述した基本的な構造に加えて、上蓋３のスカート部３３の一部の周方向領域に前述した凹部３７を形成せず、上蓋が閉じられた状態において、スカート部３３とキャップ本体１の周状突起１７の上端の突部１７ａとを、かかる領域で非係合状態としている。具体的には、図３に示されているように、スカート部３３の開封用鍔４０が形成されている周方向領域（開封開始領域）Ｘを含む領域（非係合領域）Ｙにおいては、凹部３７が形成されていない。即ち、この非係合領域Ｙでは、スカート部３３の内面の下方部分は垂直面となるように切り欠かれており、凹部３７が形成されていない。従って、上蓋３を閉じた状態では、開封用鍔４０が形成されている開封開始領域Ｘを含む非係合領域Ｙでは、スカート部３３がキャップ本体１の周状突起１７の上端の突部１７ａと係合せず、このため、開封開始領域Ｘでは、上蓋３のスカート部３３の内面とキャップ本体１との係合力が部分的に弱められていることとなる。
【００３５】
先にも述べたように、上述した基本構造を有するヒンジキャップでは、ＴＥ性を高めるために、開封用鍔４０の下面４０ａが、キャップ本体１の頂板部５の上面よりも下方に位置しており、このような位置関係となるように開封用鍔４０を形成しただけでは、帯状カバー５０を切り離した後の上蓋３の開封性が低下してしまう。開封用鍔４０の下面４０ａと、スカート部３３の内面とキャップ本体の周状突起１７との係合部分との上下方向の距離が大きくなってしまい、この係合を解除するためには必要以上に大きな力で開封用鍔４０を押し上げなければならなくなってしまうからである。
【００３６】
しかるに、本発明においては、上蓋３が閉じられている状態で、開封開始領域Ｘを含む非係合領域Ｙでは、スカート部３３がキャップ本体１の周状突起１７と係合していないため、その係合力が部分的に弱められており、このため、開封用鍔４０を押し上げての上蓋３の開封を容易に行うことが可能となる。
【００３７】
本発明では、図１乃至図３に示されているように、帯状カバー５０の内面には、閉じられた上蓋３の開封用鍔４０の下面４０ａとは接触しないように軸方向に延びている変形防止用リブ６０が設けられている（図の例では、３本の変形防止用リブ６０が設けられている）。即ち、開封開始領域Ｘを含む非係合領域Ｙで、スカート部３３をキャップ本体１の周状突起１７と非係合に設定すると、この領域での係合力が弱められているため、帯状カバー５０の下方部分を外面側から内面側上方に押圧すると、帯状カバー５０の下方部分が変形し、この変形によって上向きの応力が発生し、この結果、開封用鍔４０が上方に持ち上げられてしまい、帯状カバー５０からすっぽ抜けてしまう虞がある。しかるに、上記の変形防止用リブ６０を設けておくことにより、このようなＴＥ性の低下を有効に回避することが可能となる。
【００３８】
即ち、帯状カバー５０の下方部分を外面側から押圧したとしても、上記の変形防止用リブ６０により、その強度が高められているため、帯状カバー５０の変形が生じ難く、また、変形が生じたとしても、リブ６０が直ちに筒状側壁７の外面に当接することとなり、従って、帯状カバー５０の変形が極力抑制され、この結果、帯状カバー５０の変形による開封用鍔４０の帯状カバー５０からのすっぽ抜けを有効に防止でき、ＴＥ性の低下を有効に防止することができるのである。
【００３９】
上記の構造を有する本発明のヒンジキャップにおいて、前述した開封開始領域Ｘを含む非係合領域Ｙの周方向幅は、開封開始領域Ｘよりも大きいことが必要であるが、この周方向幅が必要以上に大きいと、上蓋３の閉栓状態が不安定となってしまう。従って、この周方向幅（上蓋３の中心Ｏに対する開き角度θ）は１８０度以下、特に１２０度以下であることが好ましい（図３参照）。
【００４０】
また、前述した変形防止用リブ６０は、その帯状カバー５０の下方部分を外面側から押圧したときの該カバー５０の変形を効果的に防止し得る限り、その大きさや長さは適宜の範囲とすることができ、その数も１本であってもよいし、２本或いは３本以上とすることもできる。
尚、この変形防止用リブ６０は、その上端が閉じられた開封用鍔４０の下面４０ａと接触するものであってはならない。接触していると、帯状カバー４０の下方からの押し上げにより開封用鍔４０が持ち上げられて帯状カバー４０からすっぽ抜けてしまうからである。
【００４１】
また、本発明においては、上蓋３を閉じたときに、開封用鍔４０の内面とキャップ本体１の筒状側壁７の外面とが係合する係合機構が設けられていることが好ましい。具体的には、図２に示されているように、開封用鍔４０の内面の下端部分に突起７０を形成しておくことが好適である。即ち、上蓋３を閉じたとき、開封用鍔４０が位置する部分（開封開始領域Ｘ）では、キャップ本体１の筒状側壁７の外面には凹面４５が形成されており、このため、この側壁７の外面上端部分は、外方に膨らんだ突部４５ａとなっている。従って、上蓋３を閉じたとき、開封用鍔４０の上記の突起７０は、筒状側壁７の上端部分の突部４５ａと係合し、これにより、前述した開封開始領域Ｘにおいて、上蓋３のスカート部３３の内面とキャップ本体１の周状突起１７とを非係合としたときのＴＥ性の低下が一層確実に防止することができる。
例えば、帯状カバー５０を正面側外方から内方に押し付けた場合においても、この突起７０が筒状側壁７の外面の上端部分と係合しており、開封用鍔４０が安定に保持されているため、開封用鍔４０の帯状カバー５０からのすっぽ抜けを一層確実に防止することができると共に帯状カバー５０を取り除いた後に、開封用鍔４０に手を掛けて上方に持ち上げると突起７０と突部４５ａの係合は、開封用鍔４０のすぐ内側であるため、容易に係合を解除することができるのである。
【００４２】
さらに、本発明においては、図５乃至図７に示されているように、帯状カバー５０及びヒンジ連結部２５が形成されている領域を除き、キャップ本体１の筒状側壁７の上方部分が外方に膨らんだ膨出部７２を形成し、この膨出部７２の上端を、閉じられた上蓋３のスカート部３３の下端が位置する部分よりも上方に立ち上げておくことが好適である。このような膨出部７２を形成することにより、上蓋３のスカート部３３とキャップ本体１の頂板部５の周縁部上面との間の隙間が膨出部７２によって隠されるため、この隙間にドライバーなどの工具を差し込んで無理矢理上蓋３を開封するという不正行為を防止することができる。
【００４３】
上述した本発明によれば、帯状カバー５０により付与されるＴＥ性を損なわず、優れたＴＥ性を維持しながら上蓋３の開封性を向上させることができる。
【符号の説明】
【００４４】
１：キャップ本体
３：上蓋
５：頂板部
７：筒状側壁
３３：上蓋スカート部
４０：開封用鍔
５０：帯状カバー
６０：変形防止用リブ
【図１】
0005627262.tif 000002
【図２】
0005627262.tif 000003
【図３】
0005627262.tif 000004
【図４】
0005627262.tif 000005
【図５】
0005627262.tif 000006
【図６】
0005627262.tif 000007
【図７】
0005627262.tif 000008